(57)【特許請求の範囲】
【請求項１】
近接する構造物をつなぐ止水継手の構造において、
可撓性材料によって形成した曲折部と該曲折部両端に連接する固定部と該固定部の付根から突出した突出部とからなる止水材と、
前記固定部上面へ配置し前記止水材を前記構造物と一体とする固定金具と、からなり、
前記突出部は構造物との接触面に突起部を形成してあり、
この突起部が突出部の支点の一方として作用するように構成してあり、
前記の突出部への水圧が、突起部への集中荷重となるように構成してあり、
前記止水材の曲折部が気中側にくるように配置し、
前記突出部が水中側であって前記構造物の表面に圧着するように配置したことを特徴とする、
止水継手の構造。
【請求項２】
請求項１の止水継手の構造において、
前記固定部と前記固定金具の接触面の形状を前記固定部の移動に対して抵抗する形状としたことを特徴とする、
止水継手の構造。
【発明の詳細な説明】
【０００１】
【発明の属する技術分野】
本発明は、近接する構造物をつなぐ止水継手の構造に関するものである。
【０００２】
【従来の技術】
従来の止水継手の構造は、可撓性材料によって形成した曲折部ａ１と固定部ａ２とからなる止水材ａを固定金具ｂによって構造物ｃに固定し、一体化することが一般的に行われている。
【０００３】
【発明が解決しようとする課題】
前記した従来の止水継手の構造にあっては、次のような問題点がある。
＜イ＞継手の止水機能の安定性を保持する等の理由から、固定金具を取り替える場合がある。
このとき、固定金具の取り外し部位において、止水材の固定部を押さえる力が一時的になくなるため構造物と固定部との間に間隙が生じ漏水する場合がある。
＜ロ＞止水材の固定部において、止水材を構造物に固定する押し付け力が自然に低下する場合や構造物間からの水圧力が高くなり止水材に及ぼす影響が大きくなる場合がある。
この結果、構造物と止水材の固定部との間に間隙が生じることによって、漏水する恐れがある。
【０００４】
【発明の目的】
本発明は上記したような従来の問題を解決するためになされたもので、止水構造を二重に設けることにより、水密性を高めた止水継手の構造を提供することを目的とする。
特に、固定金具による固定部の押し付け力が減少しても、水密性を保持することができる止水継手の構造を提供することを目的とする。
また、継手部に高水圧が作用する場合でも確実に止水が可能である止水継手の構造を提供することを目的とする。
本発明は、これらの目的の少なくとも一つを達成するものである。
【０００５】
【課題を解決するための手段】
上記のような課題を解決するために本発明の止水継手の構造は、近接する構造物をつなぐ止水継手の構造において、可撓性材料によって形成した曲折部と該曲折部両端に連接する固定部と該固定部の付根から突出した突出部とからなる止水材と、前記固定部上面へ配置し前記止水材を前記構造物と一体とする固定金具と、からなり、前記突出部は構造物との接触面に突起部を形成してあり、この突起部が突出部の支点の一方として作用するように構成してあり、前記の突出部への水圧が、突起部への集中荷重となるように構成してあり、前記止水材の曲折部が気中側にくるように配置し、前記突出部が水中側であって前記構造物の表面に圧着するように配置したことを特徴とするものである。
【０００６】
また、本発明の止水継手の構造は、固定部と固定金具の接触面の形状を固定部の移動に対して抵抗する形状としたことを特徴とするものである。
ここで、移動に対して抵抗する形状とは、たとえば構造物の継手部が開く場合に止水材の固定部に作用する引張力により、固定部が押え板にくい込み、これにより面圧が上がり、止水性を確保するような形状であり、たとえばくさび等の形状をいう。
【０００７】
【発明の実施の形態１】
以下図面を参照しながら本発明の実施の形態について説明する。
【０００８】
＜イ＞全体構成
近接する構造物３をつなぐ止水継手の構造は、止水材１と、固定部１２上面へ配置し止水材１を構造物３と一体とする固定金具２と、からなり、前記止水材１の曲折部１１が気中側にくるように配置し、前記突出部１３が水中側であって前記構造物３の表面に圧着するように配置している。
以下、図１に本発明の実施形態の止水継手の構造の説明図を示し、発明の実施形態１として説明する。
以下、各部材構成について詳しく説明する。
【０００９】
＜ロ＞止水材の構成
止水材１は、曲折部１１と曲折部１１両端に連接する固定部１２ａと該固定部の付根から突出した突出部１３ａとからなり、一体的に構築する。止水材１を構成する部材の肉厚は均一でなくても良い。さらに、連続した突起部を設けることにより面圧を上げ、止水性を向上させることもできる。
止水材１の材質は、可撓性、伸縮性、耐久性、耐水性等に富んだものが好ましい。例えば、ゴム等を使用することができる。
材質を選ぶには、水圧力、水圧変化による止水材１の疲労度等を考慮し止水材１を適宜選択することが好ましい。
以下、止水材１を構成する各部材について説明する。
【００１０】
＜ハ＞曲折部
曲折部１１の断面形状は、Ｕ字形等の凸状、Ｍ形状または波形状等であってもよく、水圧力に対抗するのに効果的な形状であることが好ましい。
【００１１】
＜ニ＞固定部
曲折部１１両端に連接する固定部１２ａの断面形状において、押え板２２ａとの接触面積は大きい方が好ましい。この合わせ面には、固定部１２ａの移動する力に対し反作用として摩擦力が働くためである。
なお、平面状に形成した合わせ面には、固定部１２ａの移動に対して摩擦力を期待するだけであるが、合わせ面に切欠き等の機械的形状を工作することによって、構造的に抵抗することも可能である。
例えば、合わせ面の断面形状を凹型、凸型、テーパー型等に形成することもできる。
構造物３と固定部１２ａの接触面については、面圧を上げ止水性を向上させるため、連続的な突起を設けるなどの処置を施しても良い。
固定部１２ａの押え面には、締め付け材２１ａを貫通させて固定する孔等を設けることも可能である。
【００１２】
＜ホ＞突出部
固定部１２ａの付根に取り付けた突出部１３ａを、固定部１２ａに対してほぼ直交するように形成し、構造物３の表面に並置する。
このとき、突出部１３ａは、必ずしも直交するように形成する必要はなく、また固定部１２ａと鋭角をなすように形成することもできる。この際には物性を考慮し、止水材１を構造物３に配置する際に支障のない取り付け角度とする。この結果、より高い止水効果を期待することができる。（図示せず）。
【００１３】
固定部１２ａと鋭角をなすように形成した突出部１３先端の距離は、構造物３の間隙より大きいため止水材１を構造物３間にはめ込むことが難しい。
このため、突出部１３の先端には、時間とともに引っ張り力が減衰する部材、もしくは水に溶ける材料等によって、突出部１３間の距離を小さくするように仮止めして止水材１を構造物３に配置することもできる。
また、テーパー状のガイドを突出部１３の先端に取り付けることによって、突出部１３が拡がった状態でも、構造物３間にはめ込みやすいようにすることもできる。尚、このガイド部材は水溶性等、止水材１の設置後に消失する部材であることが好ましい。
【００１４】
突出部１３ａの厚みは、水中側から気中方向への水圧力によって剥がれない程度とする。
突出部１３ａの先端部には、構造物３との接触面に突起部を形成することができる。この突起部は、突出部１３ａが面で受ける水圧力を突出部１３の両端で支える支点の一方として働くため、この集中荷重により構造物３に対する圧着力を高めることができる（図１参照）。
すなわち、突起部を設けることで、止水機能をさらに高め、高水圧下での使用が可能となる。
【００１５】
＜ヘ＞固定金具
固定金具２は、締め付け材２１と押え板２２とから構成されている。
締め付け材２１は、締め付け力を押え板に伝達して止水材１を構造物３に固定し、一体的に構築する部材である。
固定金具２の材質は、防錆性、対磨耗性等を備えていることが好ましい。
たとえば、ステンレス等を使用することができる。
【００１６】
【発明の実施の形態２】
図２は、固定部１２と押え板２２の合わせ面の断面形状に、テーパー型を有した場合である。また図２には、突出部１３が固定部１２の延長線上に配置される場合の実施例を示している。
以下、図２に本発明の実施形態の止水継手の構造の断面図を示し、本発明の実施形態２として説明する。ここで、図２は中心線の左右で異なる実施例を示した図である。
【００１７】
図２の中心線より右側に示した固定部１２ｂと押え板２２ｂとの合わせ面の断面形状は、曲折部１１から離れるに従い、構造物３表面から離れるテーパー型を形成しており、傾斜の始端は、押え板２２ｂ幅の途中から傾斜している。
なお、合わせ面は、すべてテーパー形状とすることも可能である。
【００１８】
図２の中心線より左側の図は、テーパー型を形成する始端が押え板２２ｃの端部から始まり、傾斜が押え板２２ｃ幅の中心で終わる鉤型を形成している。その際、締め付け材２１ｃの固定位置は、固定部１２ｃが構造材３と平行に形成している部分にするのが好ましい。
【００１９】
【作用】
曲折部１１に周方向へ押し拡げようとする水圧力が作用した場合や、また、固定金具２の押し付け力が低下した場合は、固定部１２には構造物３継手側へ移動する力が働く。
このとき、合わせ面がテーパー形状の場合、楔効果によって固定部１２が圧縮変形して止水効果が働く。
【００２０】
【発明の実施の形態３】
上記以外の固定部１２と押え板２２の合わせ面の断面形状を図３に本発明の実施の形態の止水継手の構造の拡大図として示し、本発明の実施形態３として説明する。
【００２１】
図３（ａ）は、固定部１２ｄの断面において、固定部１２ｄに一つの山型形状を設けて、その山型形状を覆うように押え板２２ｄを配置した例である。その際、山型形状に配置した押え板２２ｄの左右の長さが、均等になるように配置する。なお、必ずしも左右均等にする必要はない。
【００２２】
図３（ｂ）は、固定部１２ｅの断面において、山型形状を連続して２個設け、山と山との間の谷部に押え板２２ｅを配置した場合である。このとき、山型は同形状でなくてもよい。
押え板２２ｅの断面形状が左右対称である場合には、押え板２２ｅを配置する際に左右非対象と比較すると容易に配置することができる。
上記のような形状は、固定部１２が構造物３継手間から離れる方向への移動または近づく方向への移動の力に対して抵抗することができる。
【００２３】
【発明の効果】
本発明の止水継手の構造は以上説明したようになるから次のような効果を得ることができる。
＜イ＞止水材に突出部を設けることにより、止水材を固定する力が一時的に低下しても水密性を保持できる。
＜ロ＞止水材と固定金具との間に機械的構造を設けた場合、固定金具の締め付け力が減少しても水密性を保持する機能を確保することができる。
＜ハ＞水圧が高くなるほど突出部の構造物に対する圧着力が高まる。このため、高水圧下であっても止水することができる。
【図面の簡単な説明】
【図１】本発明の止水継手の構造の実施例の断面図。
【図２】中心線を境に２種類の止水継手の構造の実施例を示した断面図。
【図３】実施の形態３の止水継手の構造の実施例の拡大断面図。
【図４】従来の止水継手の構造の実施例の説明図。
【符号の説明】
１・・・止水材
１１・・曲折部
１２・・固定部
１３・・突出部
２・・・固定金具
３・・・構造物
【図１】
0004916065.tif 000002
【図２】
0004916065.tif 000003
【図３】
0004916065.tif 000004
【図４】
0004916065.tif 000005